(57)【要約】【課題】同一内容の記憶データが書き込まれた記憶部付き画像形成媒体が複数生成されることを抑制することが可能な画像形成システム及び画像形成装置を提供する。【解決手段】画像形成システムは、記憶データＲＤが記憶された記憶部３９を有する記憶元画像形成媒体３７から前記記憶データＲＤを読み取るデータ読取部４７と、前記データ読取部４７により読み取られた記憶データＲＤを、記憶先画像形成媒体３が有する記憶部７に書き込む書込部２５と、前記データ読取部４７による読取処理後に、前記記憶元画像形成媒体３７の記憶部３９に記憶された前記記憶データＲＤの読取処理を制限する制限部４７と、を備える。【選択図】図４
2010130350.tif 000002
【特許請求の範囲】
【請求項１】
記憶データが記憶された記憶部を有する記憶元画像形成媒体から前記記憶データを読み取るデータ読取部と、
前記データ読取部により読み取られた記憶データを、記憶先画像形成媒体が有する記憶部に書き込む書込部と、
前記データ読取部による読取処理後に、前記記憶元画像形成媒体の記憶部に記憶された前記記憶データの読取処理を制限する制限部と、を備える画像形成システム。
【請求項２】
請求項１記載の画像形成システムであって、
前記記憶元画像形成媒体の画像を読み取る画像読取部と、
前記画像読取部により読み取られた画像を、前記記憶先画像形成媒体に形成する形成部と、を備える。
【請求項３】
請求項１または２記載の画像形成システムであって、
前記記憶先画像形成媒体に画像を形成する形成部と、
前記形成部による画像形成処理が正常終了するかどうかを判断する形成判断部と、を備え、
前記書込部は、前記形成判断部で正常終了すると判断された場合に、前記記憶データの書き込みを実行する。
【請求項４】
請求項１から３のいずれか一項に記載の画像形成システムであって、
前記データ読取部により読み取られた記憶データを格納する格納部を備え、
前記制限部は、前記格納部が前記記憶データを格納した後に、前記記憶データの読取処理を制限し、前記書込部は、前記制限部による制限後に、前記格納部に格納された記憶データを、前記記憶先画像形成媒体の記憶部に書込む第１移行処理を行う。
【請求項５】
請求項４に記載の画像形成システムであって、
前記書込部による書込処理が正常終了するかどうかを判断する書込判断部と、
前記制限部は、前記書込判断部で正常終了しないと判断された場合に、前記読取処理の制限を解除する。
【請求項６】
請求項４または５に記載の画像形成システムであって、
前記制限部は、前記第１移行処理と、前記書込部による前記記憶データの書き込み後に、前記記憶先画像形成媒体の記憶部内の前記記憶データの読取処理を制限する第２移行処理とを実行可能とされ、
前記第１移行処理と前記第２移行処理とのいずれを実行するかを選択する選択部を備える。
【請求項７】
請求項１から３のいずれか一項に記載の画像形成システムであって、
前記制限部が、前記書込部による前記記憶データの書き込み後に、前記記憶先画像形成媒体の記憶部内の前記記憶データの読取処理を制限する第２移行処理を行う。
【請求項８】
記憶データが記憶された記憶部を有する記憶元画像形成媒体から前記記憶データを読み取るデータ読取部と、
前記データ読取部により読み取られた記憶データを、記憶先画像形成媒体が有する記憶部に書き込む書込部と、
前記データ読取部による読取処理後に、前記記憶元画像形成媒体の記憶部に記憶された前記記憶データの読取処理を制限する制限部と、を備える画像形成装置。
【発明の詳細な説明】
【技術分野】
【０００１】
本発明は、画像形成システム及び画像形成装置に関する。
【背景技術】
【０００２】
従来より、記憶部付き画像形成媒体（ＲＦＩＤ（Radio Frequency IDentification）付き用紙など）を利用するプリンタがある。具体的には、このプリンタは、ＲＦＩＤ付き原稿から原稿画像を読み取りつつ、そのＲＦＩＤからＲＦＩＤデータを読み取って、別のＲＦＩＤ付き用紙上に上記原稿画像を形成しつつ、そのＲＦＩＤに上記ＲＦＩＤデータを書き込むように構成されている（特許文献１参照）。
【特許文献１】特開２００２−３３７４２６公報
【発明の開示】
【発明が解決しようとする課題】
【０００３】
ところが、上記従来のプリンタでは、同一内容のＲＦＩＤデータが書き込まれたＲＦＩＤ用紙が複数枚、安易に生成されてしまい、不都合が生じることがあった。
【０００４】
本発明は上記のような事情に基づいて完成されたものであって、その目的は、同一内容の記憶データ（ＲＦＩＤデータを含む）が書き込まれた記憶部付き画像形成媒体が無制限に生成されることを抑制することが可能な画像形成システム及び画像形成装置を提供するところにある。
【課題を解決するための手段】
【０００５】
（１）上記の目的を達成するための手段として、本発明に係る画像形成システムは、記憶データが記憶された記憶部を有する記憶元画像形成媒体から前記記憶データを読み取るデータ読取部と、前記データ読取部により読み取られた記憶データを、記憶先画像形成媒体が有する記憶部に書き込む書込部と、前記データ読取部による読取処理後に、前記記憶元画像形成媒体の記憶部に記憶された前記記憶データの読取処理を制限する制限部と、を備える。
【０００６】
この発明によれば、記憶元画像形成媒体の記憶部に対する記憶データの読取処理後に、当該記憶元画像形成媒体の記憶部に記憶された記憶データの読み取りを制限することにより、同一内容の記憶データが書き込まれた記憶部付き画像形成媒体が無制限に生成されることを抑制することが可能である。
【０００７】
（２）本発明は、前記記憶元画像形成媒体の画像を読み取る画像読取部と、前記画像読取部により読み取られた画像を、前記記憶先画像形成媒体に形成する形成部と、を備えてもよい。
この発明によれば、記憶データだけでなく、画像をも記憶元画像形成媒体から移行した画像形成媒体を提供することが可能である。
【０００８】
（３）本発明は、前記記憶先画像形成媒体に画像を形成する形成部と、前記形成部による画像形成処理が正常終了するかどうかを判断する形成判断部と、を備え、前記書込部は、前記形成判断部で正常終了すると判断された場合に、前記記憶データの書き込みを実行してもよい。
【０００９】
例えば、記憶先画像形成媒体に対し、記憶部への記憶データの書き込みを、画像形成処理以前に行うようにしてもよい。しかし、例えば何らかの原因により上記画像形成処理が正常終了しなかった場合には、適切な画像が形成されず不要とすべき画像形成媒体の記憶部に記憶データが記憶されるという問題が生じ得る。
これに対し、この発明によれば、記憶先画像形成媒体への画像形成処理が正常終了すると判断した場合に、記憶先画像形成媒体の記憶部に記憶データの書き込みを実行する。従って、上記問題を回避することが可能である。
【００１０】
（４）本発明は、前記データ読取部により読み取られた記憶データを格納する格納部を備え、前記制限部は、前記格納部が前記記憶データを格納した後に、前記記憶データの読取処理を制限し、前記書込部は、前記制限部による制限後に、前記格納部に格納された記憶データを、前記記憶先画像形成媒体の記憶部に書込む第１移行処理を行ってもよい。
【００１１】
この発明によれば、記憶データを格納部に格納した後に、記憶元画像形成媒体の記憶部内の記憶データの読取処理を制限し、その後、格納部に格納された記憶データを記憶先画像形成媒体の記憶部に書込む。従って、同一内容の記憶データが同時期に複数の画像形成媒体の記憶部に記憶された状態を回避して、記憶データの唯一性保持を強化することが可能である。
【００１２】
（５）本発明は、前記書込部による書込処理が正常終了するかどうかを判断する書込判断部と、前記制限部は、前記書込判断部で正常終了しないと判断された場合に、前記読取処理の制限を解除してもよい。
【００１３】
この発明によれば、記憶先画像形成媒体の記憶部への記憶データの書込処理が正常終了しないと判断された場合には、記憶元画像形成媒体の記憶部の記憶データが有効化される。従って、このような場合に、記憶データが記憶部に記憶された画像形成媒体が喪失することを抑制することができる。
【００１４】
（６）本発明は、前記制限部は、前記第１移行処理と、前記書込部による前記記憶データの書き込み後に、前記記憶先画像形成媒体の記憶部内の前記記憶データの読取処理を制限する第２移行処理とを実行可能とされ、前記第１移行処理と前記第２移行処理とのいずれを実行するかを選択する選択部を備えてもよい。
この発明によれば、必要に応じて第１移行処理と第２移行処理とを使い分けることが可能になる。
【００１５】
（７）本発明は、前記制限部が、前記書込部による前記記憶データの書き込み後に、前記記憶先画像形成媒体の記憶部内の前記記憶データの読取処理を制限する第２移行処理を行ってもよい。
この発明によれば、記憶データは、記憶元画像形成媒体及び記憶先画像形成媒体の少なくとも一方の記憶部に記憶されているため、記憶データの喪失を抑制することができる。
【００１６】
（８）本発明に係る画像形成装置は、記憶データが記憶された記憶部を有する記憶元画像形成媒体から前記記憶データを読み取るデータ読取部と、前記データ読取部により読み取られた記憶データを、記憶先画像形成媒体が有する記憶部に書き込む書込部と、前記データ読取部による読取処理後に、前記記憶元画像形成媒体の記憶部に記憶された前記記憶データの読取処理を制限する制限部と、を備える。
【発明の効果】
【００１７】
本発明によれば、同一内容の記憶データが書き込まれた記憶部付き画像形成媒体が無制限に生成されることを抑制することが可能である。
【発明を実施するための最良の形態】
【００１８】
本発明の一実施形態について図を参照しつつ説明する。
（複合機の内部構成）
図１は、複合機１（本発明の「画像形成装置」の一例）の内部構成の概要図である。複合機１の底部には、被画像形成用のシート材３（例えば用紙など  本発明の「記憶先画像形成媒体」の一例）が収納されるトレイ５が設けられている。なお、上記シート材３には、ＲＦＩＤタグ７（本発明の「記憶先画像形成媒体が有する記憶部」の一例）を有するものと、ＲＦＩＤタグ７を有しないものとが含まれ得る。なお、ＲＦＩＤタグ７を有するシート材３には、ＲＦＩＤタグ７がシート材３に埋設されたものや、ＲＦＩＤタグ７がシート材３の表面に付着されたものなどがある。
【００１９】
トレイ５に収納されたシート材３は、ピックアップローラ９によって１枚ずつ取り出されてレジストレーションローラ１１，１１へと搬送される。搬送されてきたシート材３は、レジストレーションローラ１１，１１により姿勢が整えられつつ所定のタイミングで搬送ベルト１３上に送り出される。送り出されたシート材３は、搬送ベルト１３によって搬送されつつ、画像形成部１５（本発明の「形成部」の一例）により、例えば原稿読取ユニット２７により読み取られた画像データに基づく画像（モノクロ画像、カラー画像）が形成される。画像が形成されたシート材３は、定着器１７の加熱ローラ１９及び押圧ローラ２１の間に挟まれつつ熱定着され、排出トレイ２３上へと排出される。定着器１７付近には、定着器１７に達するシート材３を検知する検知センサ１８が設けられている。
【００２０】
また、定着器１７と排出トレイ２３との間の搬送経路付近には、シート材用のＲＦＩＤリーダ／ライタ２５が設けられている。ＲＦＩＤリーダ／ライタ２５は、図示しないアンテナから電波を発することにより、搬送途中のシート材３のＲＦＩＤタグ７との間でデータの無線通信（データの読み取り、書き込み）が可能になっている。
【００２１】
排出トレイ２３の上方には、原稿読取ユニット２７が設けられている。この原稿読取ユニット２７は、原稿台２９上に開閉可能に設けられた原稿カバー３１が設けられ、この原稿カバー３１には、原稿トレイ３３及び送り機構３５が設けられている。原稿３７には、ＲＦＩＤタグ３９（本発明の「記憶元画像形成媒体が有する記憶部」の一例）を有するもの（本発明の「記憶元画像形成媒体」の一例）と、ＲＦＩＤタグ３９を有しないものとが含まれ得る。
【００２２】
複合機１は、原稿３７上の原稿画像を読み取る方法として、原稿載置読み取りと原稿送り読み取りとが可能である。原稿載置読み取りの場合、ユーザは、原稿３７を原稿台２９上に配置して原稿カバー３１を閉じ、原稿読み取りを指示すると、スキャナ部４１（本発明の「画像読取部」の一例）が移動しつつ原稿３７の原稿画像を読み取って原稿画像データを生成し、ＣＰＵ５１へ送信する。原稿送り読み取りの場合、ユーザは、原稿３７を原稿トレイ３３にセットし、原稿読み取りを指示すると、原稿３７が１頁ずつ送り機構３５によってスキャナ部４１の読取領域内に搬送され、その後、原稿排出トレイ４３に排出される。スキャナ部４１は搬送中の原稿３７から原稿画像を読み取って画像データを生成し、ＣＰＵ５１へと送信する。
【００２３】
原稿トレイ３３とスキャナ部４１の読取領域との間における搬送経路付近には原稿用のＲＦＩＤリーダ４５が設けられている。ＲＦＩＤリーダ４５は、搬送中の原稿３７がＲＦＩＤタグ３９を有していれば、そのＲＦＩＤタグ３９との間で無線通信によりデータのやり取りを行うことができる。また、原稿排出トレイ４３付近には、原稿用のＲＦＩＤリーダ／ライタ４７が設けられており、原稿排出トレイ４３に排出された原稿３７のＲＦＩＤタグ３９との間でデータのやり取りを行うことができる。
【００２４】
（複合機の電気的構成）
図２は、複合機１の電気的構成を示すブロック図である。複合機１は、ＣＰＵ５１、ＲＯＭ５３、ＲＡＭ５５、ＮＶＲＡＭ５７（不揮発性メモリ）、操作部５９、表示部６１、画像形成部１５、原稿読取ユニット２７を備える。ＲＯＭ５３には、後述するデータ移行処理など、この複合機１の各種の動作を実行するためのプログラムが記憶されており、ＣＰＵ５１は、ＲＯＭ５３から読み出したプログラムに従って、その処理結果を内部メモリ（ＲＡＭ５５またはＮＶＲＡＭ５７）に記憶させながら各部の制御を行う。操作部５９は、複数のボタンを備え、ユーザにより各種の入力操作が可能である。表示部６１は、液晶ディスプレイやランプ等を備え、各種の設定画面や装置の動作状態等を表示することが可能である。
【００２５】
また、複合機１は、ネットワークインターフェイス６７及びファクシミリインターフェース６９を備える。ネットワークインターフェイス６７は、ネットワーク回線を介して外部のコンピュータ（図示せず）等に接続され、これにより相互のデータ通信が可能となっている。ファクシミリインターフェース６９は、公衆電話網７１を介して、ファクシミリ機能を有する他の外部機器７３に接続され、これにより相互のファクシミリ通信が可能となっている。
【００２６】
更に、ＣＰＵ５１は、前述したシート材用のＲＦＩＤリーダ／ライタ２５、原稿用のＲＦＩＤリーダ４５及びＲＦＩＤリーダ／ライタ４７を制御する。
【００２７】
（データ移行処理）
図３から図５は、データ移行処理の内容を示すフローチャートである。また、図６、図７は、原稿３７とシート材３との間における原稿画像及びＲＦＩＤデータ（本発明の「記憶データ」の一例）ＲＤの移行過程を示した模式図である。なお、ＲＦＩＤデータには、イメージ情報、テキスト情報など、様々な情報が含まれる。また、各ＲＦＩＤタグを有するシート材３を識別するための固有情報、機密情報やユーザ識別情報など、安易な複製を禁止して唯一性を極力保持すべき情報が含まれる。
【００２８】
例えばユーザが操作部５９にてデータ移行を指示すると、ＣＰＵ５１は図３から図５に示すデータ移行処理を実行する。このデータ移行処理により、原稿３７から原稿画像を読み取りつつ、そのＲＦＩＤタグ３９からＲＦＩＤデータＲＤを読み取って、トレイ５にセットされたシート材３上に上記原稿画像を形成しつつ、そのシート材３が有するＲＦＩＤタグ７に上記ＲＦＩＤデータＲＤを書き込むことができる。
【００２９】
（１）選択処理
このデータ移行処理には、第１移行処理と第２移行処理とが含まれる。ＣＰＵ５１は、まず第１移行処理と第２移行処理とのいずれを実行するかを選択する選択処理を行う。このときＣＰＵ５１は「選択部」として機能する。
【００３０】
具体的には、ＣＰＵ５１は、図３のＳ１００でユーザが操作部５９にて上述した原稿送り読み取りを指定したか、原稿載置読み取りを指定したかを判断する。この判断は、原稿トレイ３３の近傍に設けられた原稿検知センサ（図示せず）からの検出信号の有無や、スキャナ部４１での入射光量などに基づき行うことが可能である。原稿送り読み取りが指定されたと判断した場合には（Ｓ１００：ＹＥＳ）、Ｓ２００に進む。
【００３１】
Ｓ２００では、ＮＶＲＡＭ５７の格納可能量（空き容量）が基準量以上かどうかを判断する。基準量以上である場合には（Ｓ２００：ＹＥＳ）、Ｓ３００に進み、図４に示す第１移行処理を実行する。一方、ユーザが原稿載置読み取りを指定した場合（Ｓ１００：ＮＯ）、或いは、原稿送り読み取りを指定したが、格納可能量が基準量未満であった場合には（Ｓ１００：ＹＥＳ、且つ、Ｓ２００：ＮＯ）、Ｓ４００に進み、図５に示す第２移行処理を実行する。
【００３２】
（２）第１移行処理
ＣＰＵ５１が、図４に示す制御内容を実行することにより、第１移行処理が実行される。この第１移行処理では、ＲＦＩＤリーダ／ライタ４７（本発明の「データ読取部」の一例）が、原稿３７のＲＦＩＤタグ３９からＲＦＩＤデータＲＤを読み取り、ＮＶＲＡＭ５７（本発明の「格納部」の一例）が、その読み取ったＲＦＩＤデータＲＤを格納し、その後に、ＲＦＩＤリーダ／ライタ４７（本発明の「制限部」の一例）が、ＲＦＩＤタグ３９に対するＲＦＩＤデータＲＤの読取処理を制限し、その後に、ＲＦＩＤリーダ／ライタ２５（本発明の「書込部」の一例）が、格納部に格納されたＲＦＩＤデータＲＤをシート材３のＲＦＩＤタグ７に書き込む。
【００３３】
具体的には、ＣＰＵ５１は、Ｓ３０１で、原稿送り読み取りを実行するために、送り機構３５により原稿トレイ３３上から１頁の原稿３７を送り出し、スキャナ部４１により当該原稿３７上の原稿画像を読み取って１頁分の原稿画像データを取得する。このとき、図６の＜Ｓ３０１＞に示すように、原稿３７のＲＦＩＤタグ３９にのみＲＦＩＤデータＲＤが記憶されている。
【００３４】
次に、ＣＰＵ５１は、Ｓ３０３で、送り機構３５により送り出された原稿３７がＲＦＩＤタグ３９を有するかどうかを判断する。具体的には、ＣＰＵ５１は、原稿３７が原稿トレイ３３からスキャナ部４１の読取領域に向かう途中で、ＲＦＩＤリーダ４５により無線通信を試行し、無線通信が成功したかどうかに基づき、原稿３７がＲＦＩＤタグ３９を有するかどうかを判断する。
【００３５】
無線通信が成功し原稿３７がＲＦＩＤタグ３９を有すると判断すれば（Ｓ３０３：ＹＥＳ）、当該ＲＦＩＤタグ３９に対応付けられた固有情報（例えばシリアル番号など）をＲＦＩＤタグ３９から取得し、Ｓ３０５に進む。一方、無線通信が成功せず原稿３７がＲＦＩＤタグ３９を有しないと判断すれば（Ｓ３０３：ＮＯ）、Ｓ３２３に進む。Ｓ３２３では、ピックアップローラ９によりトレイ５から１枚のシート材３を搬送させ、画像形成部１５等により原稿画像データに基づく画像をシート材３上に形成してＳ３１９に進む。即ち、ＲＦＩＤデータＲＤの移行処理を行わず、原稿３７のＲＦＩＤタグ３９に何らの制限もしない。
【００３６】
Ｓ３０５では、ＣＰＵ５１は、ＲＦＩＤリーダ／ライタ４７により原稿３７のＲＦＩＤタグ３９からＲＦＩＤデータＲＤを読み取り、ＮＶＲＡＭ５７に格納する。このとき図６の＜Ｓ３０５＞に示すように、ＲＦＩＤデータＲＤは、原稿３７のＲＦＩＤタグ３９とＮＶＲＡＭ５７とに存在する。なお、原稿排出トレイ４３に複数頁の原稿３７がある場合には、上記固有情報に基づき各頁の原稿を選別し、特定頁の原稿３７のＲＦＩＤタグ３９からＲＦＩＤデータＲＤを読み取る。
【００３７】
ＣＰＵ５１は、Ｓ３０７では、ＲＦＩＤリーダ／ライタ４７により、原稿３７のＲＦＩＤタグ３９からのＲＦＩＤデータＲＤの読取処理を制限する。具体的には、ＲＦＩＤリーダ／ライタ４７により、原稿排出トレイ４３に排出された原稿３７のＲＦＩＤタグ３９からＲＦＩＤデータＲＤを削除し、Ｓ３０９に進む。これにより、図６の＜Ｓ３０７＞に示すように、ＲＦＩＤデータＲＤは、ＮＶＲＡＭ５７のみに存在することになり、ＲＦＩＤタグ３９から読み取ることが不能となる。
【００３８】
ＣＰＵ５１は、Ｓ３０９では、上記Ｓ３２３と同様、画像形成部１５等により原稿画像データに基づく画像をシート材３上に形成することを開始し、Ｓ３１１で、その画像形成が正常終了するかどうかを判断する。このときＣＰＵ５１は本発明の「形成判断部」として機能する。この判断は、例えばシート材３が定着器１７に達したかどうかに基づき行う。つまり、定着器１７に達するシート材３を上記検知センサ１８によって検知した場合には正常終了するとみなし、検知しなかった場合には、例えばシート材３が詰まったり、画像形成部１５の着色剤が不足したりするなどのエラー発生により正常終了しないと判断する。図６の＜Ｓ３０９＞には、画像形成が正常終了した場合を示している。
【００３９】
ＣＰＵ５１は、上記画像形成処理が正常終了すると判断すれば（Ｓ３１１：ＹＥＳ）、Ｓ３１３で、ＮＶＲＡＭ５７に格納されたＲＦＩＤデータＲＤを読み取って、ＲＦＩＤリーダ／ライタ２５により、当該ＲＦＩＤデータを、定着器１７を通過したシート材３のＲＦＩＤタグ７に書き込むことを開始し、Ｓ３１５に進む。
【００４０】
Ｓ３１５では、この書込処理が正常終了するかどうかを判断する。このときＣＰＵ５１は、本発明の「書込判断部」として機能する。この判断は、ＲＦＩＤリーダ／ライタ２５によるＲＦＩＤタグ７とのＲＦＩＤデータＲＤのやり取りの結果から行う。つまり、ＲＦＩＤデータＲＤの書き込みが正常に終了すれば正常終了したと判断する一方、例えばシート材３がＲＦＩＤタグ７を有していなかったり、ＲＦＩＤタグ７の容量不足やノイズなどによるエラーが発生したりした場合には正常終了しないと判断する。
【００４１】
書込処理が正常終了すると判断した場合には（Ｓ３１５：ＹＥＳ）、Ｓ３１７でＮＶＲＡＭ５７からＲＦＩＤデータＲＤを削除する。これにより、図６の＜Ｓ３１１：ＹＥＤ、且つ、Ｓ３１５：ＹＥＳ＞に示すように、ＲＦＩＤデータＲＤは、シート材３のＲＦＩＤタグ７だけに存在することになる。
【００４２】
一方、上記画像形成処理が正常終了しないと判断した場合（Ｓ３１１：ＮＯ）、あるいは、書込処理が正常終了しないと判断した場合には（Ｓ３１５：ＮＯ）、Ｓ３２１で、ＲＦＩＤリーダ／ライタ４７により、原稿３７のＲＦＩＤタグ３９の読取処理の制限を解除する。このときＲＦＩＤリーダ／ライタ４７は本発明の「解除部」として機能する。具体的には、ＲＦＩＤリーダ／ライタ４７により、ＮＶＲＡＭ５７に格納されたＲＦＩＤデータＲＤを、原稿３７のＲＦＩＤタグ３９に書き込み、Ｓ３１７でＮＶＲＡＭ５７からＲＦＩＤデータＲＤを削除する。これにより、図６の＜Ｓ３１１：ＮＯ、或いは、Ｓ３１５：ＮＯ＞に示すように、ＲＦＩＤデータＲＤは、原稿３７のＲＦＩＤタグ３９だけに存在することになる。そして、全頁の原稿３７について上記処理を行うと（Ｓ３１９：ＹＥＳ）、本第１移行処理及びデータ移行処理を終了する。
【００４３】
（３）第２移行処理
ＣＰＵ５１が、図５に示す制御内容を実行することにより、第２移行処理が実行される。この第２移行処理では、ＲＦＩＤリーダ／ライタ４７が、原稿３７のＲＦＩＤタグ３９からＲＦＩＤデータＲＤを読み取り、ＮＶＲＡＭ５７に格納することなく、ＲＦＩＤシート材３のＲＦＩＤタグ７に書き込み、その後に、ＲＦＩＤリーダ／ライタ４７が、ＲＦＩＤタグ３９に対するＲＦＩＤデータＲＤの読取処理を制限する。
【００４４】
具体的には、ＣＰＵ５１は、Ｓ４０１で、スキャナ部４１により原稿３７上の原稿画像を読み取って１頁分の原稿画像データを取得する。なお、原稿送り読み取りが指定されている場合には、送り機構３５により原稿トレイ３３上から１頁の原稿３７を送り出し、スキャナ部４１により当該原稿３７上の原稿画像を読み取る。一方、原稿載置読み取りが指定されている場合には、スキャナ部４１を原稿台２９に沿って移動させつつ当該原稿台２９に載置された原稿３７上の原稿画像を読み取る。このとき、図７の＜Ｓ４０１＞に示すように、原稿３７のＲＦＩＤタグ３９にのみＲＦＩＤデータＲＤが記憶されている。
【００４５】
次に、ＣＰＵ５１は、Ｓ４０３で、原稿３７がＲＦＩＤタグ３９を有しているかどうかを判断する。具体的には、ＣＰＵ５１は、原稿送り読み取りの場合には、原稿３７が原稿トレイ３３からスキャナ部４１の読取領域に向かう途中で、ＲＦＩＤリーダ４５により無線通信を試行し、無線通信が成功したかどうかに基づき、原稿３７がＲＦＩＤタグ３９を有しているかどうかを判断する。原稿載置読み取りの場合には、ＲＦＩＤリーダ／ライタ４７により無線通信を試行し、無線通信が成功したかどうかに基づき、原稿３７がＲＦＩＤタグ３９を有しているかどうかを判断する。
【００４６】
無線通信が成功し原稿３７がＲＦＩＤタグ３９を有していると判断すれば（Ｓ４０３：ＹＥＳ）、当該ＲＦＩＤタグ３９に対応つけられた固有情報をＲＦＩＤタグ３９から取得し、Ｓ４０５に進む。一方、無線通信が成功せず原稿３７がＲＦＩＤタグ３９を有していないと判断すれば（Ｓ４０３：ＮＯ）、Ｓ４１７に進む。Ｓ４１７では、ピックアップローラ９によりトレイ５からシート材３を搬送させ、画像形成部１５等により原稿画像データに基づく画像をシート材３上に形成してＳ４１５に進む。即ち、ＲＦＩＤデータＲＤの移行処理を行わず、ＲＦＩＤデータＲＤは、原稿３７のＲＦＩＤタグ３９に何らの制限をされずに記憶されたままとなる。
【００４７】
Ｓ４０５では、上記Ｓ４１７と同様、画像形成部１５等により原稿画像データに基づく画像をシート材３上に形成することを開始し、Ｓ４０７で、その画像形成が正常終了するかどうかを判断する。この判断内容は上記Ｓ３１１と同様である。図７の＜Ｓ４０７＞には、画像形成が正常終了した場合を示している。
【００４８】
ＣＰＵ５１は、上記画像形成処理が正常終了すると判断すれば（Ｓ４０７：ＹＥＳ）、Ｓ４０９で、ＲＦＩＤリーダ／ライタ４７により原稿３７のＲＦＩＤタグ３９からＲＦＩＤデータＲＤを読み取り、ＲＦＩＤリーダ／ライタ２５により、当該ＲＦＩＤデータを、定着器１７を通過したシート材３のＲＦＩＤタグ７に書き込むことを開始し、Ｓ４１１に進む。
【００４９】
Ｓ４１１では、この書込処理が正常終了するかどうかを判断する。この判断内容は、上記Ｓ３１５と同様である。そして、この書込処理が正常終了すると判断した場合には（Ｓ４１１：ＹＥＳ）、Ｓ４１３で、ＲＦＩＤリーダ／ライタ４７により、原稿３７のＲＦＩＤタグ３９からのＲＦＩＤデータＲＤの読取処理を制限する。具体的には、ＲＦＩＤリーダ／ライタ４７により、原稿排出トレイ４３に排出された原稿３７のＲＦＩＤタグ３９からＲＦＩＤデータＲＤを削除し、Ｓ４１５に進む。これにより、図７の＜Ｓ４０７：ＹＥＳ、且つ、Ｓ４１１：ＹＥＳ＞に示すように、ＲＦＩＤデータＲＤは、ＲＦＩＤタグ３９から読み取ることが不能となり、シート材３のＲＦＩＤタグ７だけに存在することになる。
【００５０】
一方、上記画像形成処理が正常終了しないと判断した場合（Ｓ４０７：ＮＯ）、あるいは、書込処理が正常終了しないと判断した場合には（Ｓ４１１：ＮＯ）、ＲＦＩＤデータＲＤの読取処理を行うことなくＳ４１５に進む。これにより、図７の＜Ｓ４０７：ＮＯ、或いは、Ｓ４１１：ＮＯ＞に示すように、ＲＦＩＤデータＲＤは、原稿３７のＲＦＩＤタグ３９だけに存在することになる。そして、全頁の原稿３７について上記処理を行うと（４１５：ＹＥＳ）、本第２移行処理及びデータ移行処理を終了する。
【００５１】
（本実施形態の効果）
（１）本実施形態によれば、原稿３７のＲＦＩＤタグ３９に対するＲＦＩＤデータＲＤの読取処理後に、当該原稿３７のＲＦＩＤタグ３９に対する読み取りを制限する。これにより、ＲＦＩＤデータＲＤを他のシート材に移行することを可能としつつ、同一内容のＲＦＩＤデータＲＤが書き込まれたシート材が無制限に生成されることを抑制することが可能である。
【００５２】
（２）仮に、シート材３に対し、ＲＦＩＤタグ７へのＲＦＩＤデータＲＤの書き込み（図４のＳ３１３、図５のＳ４０９）を、画像形成処理（図４のＳ３０９、図５のＳ４０５）以前に行うとする。そうすると、画像形成処理が正常終了しなかった場合には、適切な画像が形成されず不要とすべきシート材３のＲＦＩＤタグ７にＲＦＩＤデータＲＤが記憶されるという問題が生じ得る。
これに対し、本実施形態では、図４、図５に示すように、シート材３への画像形成処理が正常終了すると判断した場合に、当該シート材３のＲＦＩＤタグ７にＲＦＩＤデータＲＤの書き込みを実行する。従って、上記問題を回避することが可能である。
【００５３】
（３）第１移行処理では、図６からも明らかなように、ＲＦＩＤデータＲＤは、常に、原稿３７のＲＦＩＤタグ３９及びシート材３のいずれか一方からしか読み取ることができない。従って、同一内容のＲＦＩＤデータＲＤが同時期に複数のシート材のＲＦＩＤタグに記憶された状態を回避して、ＲＦＩＤデータＲＤの唯一性保持を強化することが可能である。
【００５４】
しかも、この第１移行処理では、シート材３のＲＦＩＤタグ７へのＲＦＩＤデータの書込処理が正常終了しないと判断された場合には、原稿３７体のＲＦＩＤタグ３９のＲＦＩＤデータＲＤが有効化（制限処理が解除）される。従って、このような場合に、ＲＦＩＤデータＲＤがＲＦＩＤタグに記憶されたシート材が喪失することを抑制することができる。
【００５５】
（４）第１移行処理では、例えば図６の＜Ｓ３０７＞＜Ｓ３０９＞に示すように、ＲＦＩＤデータＲＤがＮＶＲＡＭ５７のみに記憶されているときにＮＶＲＡＭ５７が故障などすると、ＲＦＩＤデータＲＤを失ってしまうおそれがある。なお、ＲＦＩＤデータＲＤをＲＡＭ５５に格納する構成とすると、複合機１の電源が切られることでＲＦＩＤデータＲＤが喪失してしまう。
【００５６】
これに対して、第２移行処理では、図７に示すように、ＲＦＩＤデータＲＤが、シート材３のＲＦＩＤタグ７及び原稿３７のＲＦＩＤタグ３９の少なくとも一方に記憶されている。このため、ＲＦＩＤデータＲＤの喪失を抑制することができる。但し、第２移行処理では、Ｓ４０９のように、ＲＦＩＤデータＲＤが同時にシート材３のＲＦＩＤタグ７と原稿３７のＲＦＩＤタグ３９の両方に記憶される状態が存在する。従って、ＲＦＩＤデータＲＤの唯一性を強化すべき場合には第１移行処理を好ましい。
【００５７】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
【００５８】
（１）上記実施形態では、図６，７に示すようにＲＦＩＤデータＲＤだけでなく原稿画像をも原稿３７からシート材３に移行・複製する構成としたが、本発明はこれに限られない。例えばシート材３に対してＲＦＩＤデータＲＤの移行のみ行うようにしてもよい。また、原稿画像の複製は、ＲＦＩＤデータＲＤの移行先のシート材とは異なるシート材に行うようにしてもよい。但し、上記実施形態の構成であれば、原稿３７と同様に、ＲＦＩＤデータＲＤ及び原稿画像を同一のシート材で一括管理することができる。
【００５９】
（２）上記実施形態では、ＲＦＩＤデータＲＤを削除することによりＲＦＩＤデータの読取処理を制限したが、本発明はこれに限られない。例えば別のデータを上書きしてもよい。また、読取処理を禁止する禁止情報や、ＲＦＩＤデータＲＤの一部読取だけを許可する情報をＲＦＩＤタグ３９に書き込むことでＲＦＩＤリーダ／ライタ４７による読み取りを制限してもよい。但し、上記実施形態の構成や上書きする構成であれば、ＲＦＩＤデータＲＤの読み取りをより確実に制限することができる。一方、禁止情報等を書き込む構成であれば、削除等する構成に比べて、制限を解除することが容易である。
【００６０】
（３）また、上記実施形態では、ＲＦＩＤデータＲＤの読取処理を１回行った場合に制限処理を行ったが、本発明はこれに限られない。その読取処理を所定回数行った後に制限処理を行うようにしてもよい。
【００６１】
（４）上記実施形態では、シート材３が定着器１７に達したことをもって画像形成が正常終了すると推定したが、本発明はこれに限られない。例えばシート材３が排出トレイ２３上に排出されたことを検知するセンサ（図示せず）を設けて、当該センサの検知結果に基づき、ＲＦＩＤリーダ／ライタ２５による書込処理を行うようにしてもよい。但し、上記実施形態の構成であれば、書込処理がされる前にシート材３が排出トレイ２３からユーザにより持ち去られることを抑制することができる。
【００６２】
（５）上記実施形態では、本発明を複合機１単体で実現した場合を例に挙げて説明したが、本発明はこれに限られない。例えば、原稿読取ユニット２７と、原稿読取ユニット２７を除いた画像形成装置本体とが別体とされ、両者がデータ通信可能に接続された画像形成システムであってもよい。更に、ファクシミリ機能を有する複数の画像形成装置（ファクシミリ装置）を有する画像形成システムであってもよい。つまり、一のファクシミリ装置（例えば図２の複合機１）でＲＦＩＤデータの読取処理と制限処理とを行い、他のファクシミリ装置（例えば図２の他の外部機器７３であって複合機１と同様の機能を有するもの）が上記ＲＦＩＤデータの書込処理を行うようにしてもよい。
【図面の簡単な説明】
【００６３】
【図１】本発明の一実施形態に係る複合機の内部構成の概要図
【図２】複合機の電気的構成を示すブロック図
【図３】データ移行処理を示すフローチャート
【図４】第１移行処理を示すフローチャート
【図５】第２移行処理を示すフローチャート
【図６】第１移行処理における原稿画像及びＲＦＩＤデータの移行過程を示した模式図
【図７】第２移行処理における原稿画像及びＲＦＩＤデータの移行過程を示した模式図
【符号の説明】
【００６４】
１...複合機（画像形成装置）
３...シート材（記憶先画像形成媒体）
７...ＲＦＩＤタグ（記憶先画像形成媒体が有する記憶部）
１５...画像形成部（形成部）
２５...ＲＦＩＤリーダ／ライタ（書込部）
３７...原稿（記憶元画像形成媒体）
３９...ＲＦＩＤタグ（記憶元画像形成媒体が有する記憶部）
４１...スキャナ部（画像読取部）
４７...ＲＦＩＤリーダ／ライタ（データ読取部、制限部、解除部）
５１...ＣＰＵ（形成判断部、書込判断部）
５５...ＲＡＭ（格納部）
ＲＤ...ＲＦＩＤデータ（記憶データ）
【図１】
2010130350.tif 000003
【図２】
2010130350.tif 000004
【図３】
2010130350.tif 000005
【図４】
2010130350.tif 000006
【図５】
2010130350.tif 000007
【図６】
2010130350.tif 000008
【図７】
2010130350.tif 000009